(57)【要約】【課題】簡単な構成で、確実に透視ガラスの結露を防止する。【解決手段】商品庫内に陳列された商品を透視するための透視ガラスを有する前面パネルと、前記透視ガラスの前記商品庫内側に対する露の付着を防止するための防露ヒータと、を有する自動販売機において、前記透視ガラスの前記商品庫内とは反対側の温度を検知するための温度センサと、前記温度センサの検知温度に応じて、前記防露ヒータに対する通電状態を制御する制御部と、を備えたことを特徴とする。【選択図】    図３
2005215851.tif 000002
【特許請求の範囲】
【請求項１】
商品庫内に陳列された商品を透視するための透視ガラスを有する前面パネルと、前記透視ガラスの前記商品庫内側に対する露の付着を防止するための防露ヒータと、を有する自動販売機において、
前記透視ガラスの前記商品庫内とは反対側の温度を検知するための温度センサと、
前記温度センサの検知温度に応じて、前記防露ヒータに対する通電状態を制御する制御部と、
を備えたことを特徴とする自動販売機。
【請求項２】
前記制御部は、
前記温度センサにて検知される温度が第１温度未満のとき、前記防露ヒータに対して通電を常時オフするための制御信号を供給し、
前記温度センサにて検知される温度が前記第１温度以上且つ当該第１温度より高い第２温度未満のとき、前記防露ヒータに対して通電を所定のデューティ比でオンオフするための制御信号を供給し、
前記温度センサにて検知される温度が前記第２温度以上のとき、前記防露ヒータに対して通電を常時オンするための制御信号を供給することを特徴とする請求項１に記載の自動販売機。
【請求項３】
前記制御部は、
前記温度センサにて検知される温度が第１温度未満であることを所定時間継続して検出したとき、前記防露ヒータに対して通電を常時オフするための制御信号を供給し、
前記温度センサにて検知される温度が前記第１温度以上且つ当該第１温度より高い第２温度未満であることを所定時間継続して検出したとき、前記防露ヒータに対して通電を所定のデューティ比でオンオフするための制御信号を供給し、
前記温度センサにて検知される温度が前記第２温度以上であることを所定時間継続して検出したとき、前記防露ヒータに対して通電を常時オンするための制御信号を供給することを特徴とする請求項２に記載の自動販売機。
【請求項４】
前記商品庫内にコールド商品のみを陳列する場合と、前記商品庫内の少なくとも一部にホット商品を陳列する場合とを切り替える切替指示部を有し、
前記制御部は、前記切替指示部の切替指示に応じて、前記温度センサにて検知される温度が前記第１温度以上且つ当該第１温度より高い第２温度未満であるときの前記デューティ比を可変とすることを特徴とする請求項２または３に記載の自動販売機。
【請求項５】
前記商品庫内にコールド商品のみを陳列する場合と、前記商品庫内の少なくとも一部にホット商品を陳列する場合とを切り替える切替指示部を有し、
前記制御部は、前記切替指示部の切替指示に応じて、前記商品庫内にコールド商品を陳列する場合の前記第１、第２温度を、前記商品庫内の少なくとも一部にホット商品を陳列する場合の前記第１、第２温度よりも低く設定することを特徴とする請求項２乃至４の何れかに記載の自動販売機。
【請求項６】
前記商品庫内を冷却するための冷凍サイクルを実行する冷熱機器と、前記冷熱機器に対して自動販売機の背面側に設けられ、前記冷熱機器の発熱を自動販売機の背面側に排出するファンと、前記自動販売機の前面に設けられ、前記ファンの吸気を行うための通気口と、を有し、
前記温度センサは、前記冷熱機器の前記通気口側の一部に装着されることを特徴とする請求項１乃至５の何れかに記載の自動販売機。
【請求項７】
前記制御部は、前記ファンが駆動されているとき、前記温度センサにて検知される温度を有効とし、前記第１または第２温度と比較することを特徴とする請求項６に記載の自動販売機。
【請求項８】
前記防露ヒータは、前記透視ガラスの略全域に貼付されるフィルム状のヒータであることを特徴とする請求項１乃至７の何れかに記載の自動販売機。
【請求項９】
前記防露ヒータは、前記透視ガラスの略全域に形成された導電膜を発熱面としたヒータであることを特徴とする請求項１乃至７の何れかに記載の自動販売機。
【請求項１０】
前記温度センサは、サーミスタであることを特徴とする請求項１乃至９の何れかに記載の自動販売機。
【発明の詳細な説明】
【技術分野】
【０００１】
本発明は、前面パネルに陳列商品を透視するための透視ガラスを有する、所謂シースルー型の自動販売機に関する。
【背景技術】
【０００２】
商品庫内に陳列されている様々な種類の商品を購入目的で確認するための透視ガラスを前面パネルに有するシースルー型の自動販売機は、様々な市場に設置されている。このような自動販売機の場合、前面パネルに占める透視ガラスの割合が非常に大きいため、自動販売機の商品庫内温度と外部温度との差に起因して透視ガラスが結露することがある。透視ガラスに結露が生じた場合、顧客は商品庫内の商品を確認しにくくなるか、或いは全く確認できなくなり、顧客に迷惑をかけるとともに自動販売機としては販売機会を逸してしまう可能性があり、これは好ましいことではない。そこで、透視ガラスの商品庫内側に結露防止用の防露ヒータを設け、防露ヒータを通電することによって、透視ガラスの結露を防止していた。
【特許文献１】特開昭６４−１００８３号公報
【発明の開示】
【発明が解決しようとする課題】
【０００３】
しかし、防露ヒータを常時通電すると、商品庫内の冷却効率が低下するため、商品が効率よく冷却されず、冷熱機器の負荷が重くなって電力商品量が増加する問題があった。更に、防露ヒータも常時通電することでも、電力消費量が併せて増加する問題があった。  
また、上記の特許文献１では、２個の温度センサを用いて防露ヒータをオンオフしているが、温度センサを２個使用することによってコストアップするとともに制御が複雑となる問題があった。
【０００４】
そこで、本発明は、簡単な構成で、確実に透視ガラスの結露を防止できる自動販売機を提供することを目的とする。
【課題を解決するための手段】
【０００５】
前記課題を解決するための主たる発明は、商品庫内に陳列された商品を透視するための透視ガラスを有する前面パネルと、前記透視ガラスの前記商品庫内側に対する露の付着を防止するための防露ヒータと、を有する自動販売機において、前記透視ガラスの前記商品庫内とは反対側の温度を検知するための温度センサと、前記温度センサの検知温度に応じて、前記防露ヒータに対する通電状態を制御する制御部と、を備えたことを特徴とする。特に、前記制御部は、前記温度センサにて検知される温度が第１温度未満のとき、前記防露ヒータに対して通電を常時オフするための制御信号を供給し、前記温度センサにて検知される温度が前記第１温度以上且つ当該第１温度より高い第２温度未満のとき、前記防露ヒータに対して通電を所定のデューティ比でオンオフするための制御信号を供給し、前記温度センサにて検知される温度が前記第２温度以上のとき、前記防露ヒータに対して通電を常時オンするための制御信号を供給することを特徴とする。この自動販売機によれば、透視ガラスの商品庫内とは反対側の温度が予め定められた温度範囲内であるときに防露ヒータの通電をデューティ制御することにより、透視ガラスの結露を効果的に防止するとともに電力消費量を低減することが可能となる。
【０００６】
また、かかる自動販売機において、前記制御部は、前記温度センサにて検知される温度が第１温度未満であることを所定時間継続して検出したとき、前記防露ヒータに対して通電を常時オフするための制御信号を供給し、前記温度センサにて検知される温度が前記第１温度以上且つ当該第１温度より高い第２温度未満であることを所定時間継続して検出したとき、前記防露ヒータに対して通電を所定のデューティ比でオンオフするための制御信号を供給し、前記温度センサにて検知される温度が前記第２温度以上であることを所定時間継続して検出したとき、前記防露ヒータに対して通電を常時オンするための制御信号を供給することを特徴とする。この自動販売機によれば、温度センサの検知温度の属する温度範囲が所定時間継続して変わらないときに、防露ヒータの通電状態を決定するため、防露ヒータの安定した通電制御をすることが可能となる。
【０００７】
また、かかる自動販売機において、前記商品庫内にコールド商品のみを陳列する場合と、前記商品庫内の少なくとも一部にホット商品を陳列する場合とを切り替える切替指示部を有し、前記制御部は、前記切替指示部の切替指示に応じて、前記温度センサにて検知される温度が前記第１温度以上且つ当該第１温度より高い第２温度未満であるときの前記デューティ比を可変とすることを特徴とする。この自動販売機によれば、商品庫内の温度はコールド商品のみの場合と少なくとも一部にホット商品がある場合とで異なることとなる。しかし、この場合に応じて防露ヒータの通電デューティを変更するので、透視ガラスが結露しない最小限の範囲で防露ヒータを通電することで済み、電力消費量を更に効果的に低減することが可能となる。
【０００８】
また、かかる自動販売機において、前記商品庫内にコールド商品のみを陳列する場合と、前記商品庫内の少なくとも一部にホット商品を陳列する場合とを切り替える切替指示部を有し、前記制御部は、前記切替指示部の切替指示に応じて、前記商品庫内にコールド商品を陳列する場合の前記第１、第２温度を、前記商品庫内の少なくとも一部にホット商品を陳列する場合の前記第１、第２温度よりも低く設定することを特徴とする。この自動販売機によれば、商品庫内の温度はコールド商品のみの場合と少なくとも一部にホット商品がある場合とで異なることとなる。しかし、この場合に応じて第１、第２温度を変更するので、透視ガラスが結露しない最小限の範囲で防露ヒータを通電することで済み、電力消費量を更に効果的に低減することが可能となる。
【０００９】
また、かかる自動販売機において、前記商品庫内を冷却するための冷凍サイクルを実行する冷熱機器と、前記冷熱機器に対して自動販売機の背面側に設けられ、前記冷熱機器の発熱を自動販売機の背面側に排出するファンと、前記自動販売機の前面に設けられ、前記ファンの吸気を行うための通気口と、を有し、前記温度センサは、前記冷熱機器の前記通気口側の一部に装着されることを特徴とする。特に、前記制御部は、前記ファンが駆動されているとき、前記温度センサにて検知される温度を有効とし、前記第１または第２温度と比較する。この自動販売機によれば、外観上目立たない場所に温度センサを取り付けることができ、自動販売機の美観を損なうことがない。また、ファンが駆動されているときの温度は透視ガラスの商品庫内とは反対側の温度に近い温度となるため、透視ガラスの結露を効果的に防止することが可能となる。
【００１０】
また、かかる自動販売機において、前記防露ヒータは、前記透視ガラスの略全域に貼付されるフィルム状のヒータであることが好ましい。或いは、前記防露ヒータは、前記透視ガラスの略全域に形成された導電膜を発熱面としたヒータであることとしてもよい。この自動販売機によれば、透視ガラスの略全域に亘って結露を防止でき、顧客に視認性に優れた透視ガラスを提供できることとなる。
【００１１】
更に、前記温度センサは、サーミスタであることとしてもよい。
【発明の効果】
【００１２】
本発明によれば、簡単な構成と制御で、透視ガラスが結露することを確実に防止することが可能となる。
【発明を実施するための最良の形態】
【００１３】
本明細書および添付図面の記載により、少なくとも以下の事項が明らかとなる。
【００１４】
＝＝＝シースルー型自動販売機の構成＝＝＝
図１および図２を参照しつつ、本発明にかかる自動販売機の構成例について説明する。図１は、本発明にかかる自動販売機の正面図の一例である。また、図２は、本発明にかかる自動販売機の側面図の一例である。尚、本実施の形態の自動販売機は、販売商品の実物を扉パネル１３越しに透視させて顧客に購買選択させるようにしたシースルー型自動販売機であるものとする。以下、このシースルー型自動販売機の概要を述べる。
【００１５】
図１に示されるように、本実施の形態の自動販売機は、複数の商品収納搬出コラム４００にそれぞれ一列に整列収納された商品１１を、水平方向（図１のＸ方向）及び垂直方向（図１のＹ方向）に移動駆動されるバケット９０によって選択的に取得して、商品取出部１６まで搬送するように構成されている。商品収納搬出コラム４００は、自動販売機の前後方向（図１のＺ方向であり、以後、奥行方向又は商品の搬送方向とする）に商品１１を一列に並べて収納するとともに、バケット９０側からの動力伝達により商品１１をコラムのＺ方向前方へ順次繰り出し搬出するように構成されている。バケット９０は、商品収納搬出コラム４００と扉パネル１３間の空間部に沿ってＸＹ方向に移動するように構成されている。バケット９０は、その商品取得口が、利用者により購買選択された商品１１が収納されている商品収納搬出コラム４００の開口部と対向するように移動して商品１１を取得し、商品取出部１６へ搬送するものである。以下、本実施の形態の自動販売機について図毎に更に具体的に説明する。
【００１６】
図１において、自動販売機の筐体１０には、前面解放型の商品収納部１２（商品庫内）が形成されている。商品収納部１２の下部に隣接するように設けられた機械室１０ａには、冷却のための冷凍サイクルを実行する冷熱機器（不図示）や加温するためのヒータ（不図示）等のシステムが収納されている。更に、機械室１０ａにおける筐体１０の前面側と背面側とには、前記冷熱機器で生じる発熱を放出するための通気口１０ｂ、１０ｃが設けられている。この筐体１０の前面は、扉パネル１３により開閉可能に塞がれている。  
ここで、扉パネル１３は商品収納部１２のほぼ全体を見通せるほどの広い透視窓となる透視ガラス１２ａを有する。この透視ガラス１２ａは、顧客が購入したい商品を確認したり、バケット９０が商品１１を取得して払い出すまでの動作を確認したりするための窓として機能するものである。そして、この透視ガラス１２ａとしては、２重ガラスを採用するものであり、２重ガラスの双方の間に形成される僅かな空間には透明のフィルム型ヒータ１２ｂ（防露ヒータ）が存在し、このフィルム型ヒータ１２ｂは２重ガラスの何れか一方に貼付されていることとする。なお、フィルム状ヒータ１２ｂに限定されるものではなく、透視ガラス１２ａ上に導電膜を形成し、この導電膜を発熱面とするヒータを採用することも可能である。この導電膜を発熱面とするヒータを採用した場合、透視ガラス１２ａが図１に示すように異形ガラスであっても、当該透視ガラス１２ａ上に導電膜を容易に形成でき、製造コストを抑えることが可能となる。この導電膜を発熱面とするヒータとしては、例えば特開平８−８８０７７号公報に透明面状ヒーター等が開示されており、異形の透視ガラス１２ａに対して導電膜を発熱面とするヒータを設けることは可能である。  
更に、この透視ガラス１２ａ以外の部分には、購買商品選択用の操作パネル１４、紙幣や硬貨の収受装置１５、商品取出部１６、釣銭や返金の払出部１７、施錠装置（鍵穴のみ図示）１８等が配設されている。図１に示されるように、商品収納部１２には、複数の引き出し式の商品棚３０が上下方向（Ｙ方向）に一定間隔で装着されている。各商品棚３０には、複数の商品収納搬出コラム４００が、仕切板６５で互いに仕切られて並設されている。
【００１７】
各商品収納搬出コラム４００には、商品１１が搬送方向（Ｚ方向）に一列に並んだ状態で収納されるようになっている。本実施の形態の自動販売機には、例えば、８段の商品棚３０に合計４８個の商品収納搬出コラム４１１乃至４８５が収納されている。商品収納搬出コラム４００内の商品１１は、当該商品収納搬出コラム４００の開口部まで繰り出されるようになっているとともに、扉パネル１３を透して視認されるようになっている。商品収納搬出コラム４００の開口部に繰り出された商品１１は、顧客の選択に基づき、キャッチャーと呼ばれる可動搬出装置により選択されて商品取出部１６へ搬出される。キャッチャーは、商品収納搬出コラム４００から商品１１を取得するバケット９０と、このバケット９０をＸＹ方向に移動させるＸＹ駆動機構とにより構成される。ＸＹ駆動機構は、上下方向（Ｙ方向）に移動駆動される可動架台８１を有し、この可動架台８１上でバケット９０を水平方向（Ｘ方向）に移動させることにより、バケット９０を所望の位置まで移動させるようになっている。商品収納搬出コラム４００と扉パネル１３との間には、バケット９０をＸＹ方向に移動させるための空間部（不図示）が確保されている。
【００１８】
バケット９０は、商品収納搬出コラム４００の開口部と扉パネル１３との間の空間部に沿ってＸＹ方向に移動し、顧客の操作により選択された商品１１が収納されている商品収納搬出コラム４００の開口部に商品取得口を対向させて商品１１を取得するものである。バケット９０は、更に、商品収納搬出コラム４００から取得して商品１１を商品取出部１６まで搬送し、当該商品取出部１６に商品払出口を対向させて商品１１を払い出すものである。ここで、本実施の形態のバケット９０は、可動架台８１に設けられた案内レール（不図示）上をＸ方向に自走すべく適宜な駆動手段を当該バケット９０の下部に備えている。
【００１９】
図２における機械室１０ａの内部には、前記冷熱機器を構成する一部として圧縮機１０ｄと、当該圧縮機１０ｄに生じる熱を通気口１０ｃを介して放出するためのファン１０ｅが設けられている。特に、圧縮機１０ｄは筐体１０の前面の通気口１０ｂ寄りに設けられ、ファン１０ｅは筐体１０の背面の通気口１０ｃ寄りに設けられている。ここで、圧縮機１０ｄの通気口１０ｂ寄りには、透視ガラス１２ａの商品収納部１２とは反対側の外部温度を測定するための温度センサ１０ｆが、取付部材１０ｇを介して圧縮機１０ｄとは間接的に取り付けられている。尚、温度センサ１０ｆとしては、サーミスタを採用することとする。温度センサ１０ｆにて検知された温度データは、ファン１０ｅが駆動されて回転しているときに有効となる。これは、ファン１０ｅが回転しているとき、図２の矢印方向の空気の流れが形成され、透視ガラス１２ａ付近の外気が通気口１０ｂから通気口１０ｃへ流れ出るため、温度センサ１０ｆとしては透視ガラス１２ａの外面の温度と略等しい温度を検知できるからである。
【００２０】
＝＝＝自動販売機の制御動作＝＝＝
図３、図４、図５、図６を参照しつつ、本発明の自動販売機の制御動作について説明する。図３は、本発明にかかる自動販売機の制御構成を示す回路ブロック図である。図４は、コールド商品のみを販売する場合の防露ヒータ１２ｂの通電動作にかかるテーブルデータである。図５は、コールド商品およびホット商品を混在して販売する場合の防露ヒータの通電動作にかかるテーブルデータである。図６は、本発明にかかる自動販売機の制御動作を示すフローチャートである。尚、商品収納部１２においてコールド商品およびホット商品を混在した状態で販売する場合、例えば、上３段の商品収納搬出コラム４００でホット商品を販売し、下５段の商品収納搬出コラム４００でコールド商品を販売することとし、上から３段目と４段目の商品収納搬出コラム４００のＹ方向の境には着脱可能な仕切板（不図示）が装着されていることとする。
【００２１】
図３において、制御部２００は、自動販売機の販売動作を制御するものであり、例えばマイクロプロセッサ等のＣＰＵから構成される。ＲＯＭ２０２は、自動販売機の動作を制御するためのプログラムデータ、当該プログラムデータの解読結果に従ってプログラムを実行する際に参照すべきテーブルデータ等が予め記憶されているものである。  
尚、ＲＯＭ２０２としては、データをＲＯＭ２０２自体の製造工程で焼き付け固定するマスクＲＯＭ、データを紫外線消去可能であるとともにデータを書き込みおよび読み出し可能であるＥＰＲＯＭ、データを電気消去可能であるとともにデータを書き込みおよび読み出し可能であるＥＥＰＲＯＭ（フラッシュＲＯＭを含む）の何れかの不揮発性メモリを採用することができる。特に、プログラムデータ、テーブルデータを自動販売機の販売仕様に応じて変更する場合、ＥＥＰＲＯＭをＲＯＭ２０２に採用することが好ましい。  
ＲＡＭ２０４は、ＲＯＭ２０２から読み出されたプログラムデータの解読結果に従って制御部２００が適宜の演算を実行する場合、その演算結果等の作業データを一時的に書き込んでおいたりするためのものである。尚、ＲＡＭ２０４としては、ＳＲＡＭ等の揮発性メモリをバックアップ電源とともに採用することができるが、ＥＥＰＲＯＭを採用してバックアップ電源を不要とすることもできる。レジスタ２０６は、制御部２００が取得したサーミスタ１０ｆの温度データを一時的に保持するものである。  
第１タイマ２０８は、サーミスタ１０ｆによる検知温度をサンプリングするための時間を計時するものである。第１タイマ２０８は、制御部２００からの制御指示でリセットされて計時を開始する。制御部２００は、第１タイマ２０８が一定時間（例えば３０秒）を計時したとき、サーミスタ１０ｆによる検知温度をサンプリングして取り込みレジスタ２０６に保持する。またこのとき、第１タイマ２０８の計時内容をリセットして再度計時させる。つまり、制御部２００は、例えば３０秒単位でサーミスタ１０ｆによる検知温度を継続してサンプリングすることとなる。第２タイマ２１０は、サーミスタ１０ｆによる検知温度が所定の温度範囲に継続して属する時間（例えば１０分）を計時するものである。Ｈ／Ｃ切替スイッチ２１２は、商品収納部１２にコールド商品のみを収納する場合と、商品収納部１２にコールド商品とホット商品を混在して収納する場合とで、何れか一方の状態に応じて切り替えるスイッチである。尚、Ｈ／Ｃ切替スイッチ２１２は、単独で設けてもよいが、自動販売機のコラム、価格などの各種機能を設定するリモコン（不図示）の一部の機能として設けてもよい。電子式リレー２１４は、制御部２００からの制御指示に従って、フィルム状のヒータ１２ｂの通電をオンオフするものである。フィルム状のヒータ１２ｂからは通電のための電源ライン２１８ａ、２１８ｂが導出されており、これらの電源ライン２１８ａ、２１８ｂはトランス２２０を介して例えば商用電源（ＡＣ１００Ｖ）と接続される。電子式リレー２１４における制御接点２１６は、商用電源とトランス２２０との間の一方のラインに介挿される。これにより、ヒータ１２ｂには電源として例えばＡＣ２１Ｖが印加されることとなる。ファン１０ｅは、常時駆動されているわけではなく、定期的且つ間欠的に駆動されることとする。ファン１０ｅの駆動は、時間を計時した結果に基づいて行ってもよく、或いは、機械室１０ａ内部の温度に応じて行ってもよい。
【００２２】
＜＜テーブルデータ＞＞
図４は、商品収納部１２にコールド商品のみを収納して販売する場合に適用するテーブルデータである。このテーブルデータによれば、温度センサ１０ｆによる検知温度Ｔの範囲を３つ（例えば７℃未満、７℃以上１９℃未満、１９℃以上）に分類することとする。電子式リレー２１４の動作としては、温度センサ１０ｆによる検知温度Ｔが７℃未満の場合、透視ガラス１２ａの商品収納部１２側とその反対側（自動販売機の外部）との温度差が小さいため、透視ガラス１２ａには露が着かないものとして、電子式リレー２１４をオフする。また、温度センサ１０ｆによる検知温度Ｔが１９℃以上の場合、透視ガラス１２ａの商品収納部１２側とその反対側との温度差が大きいため、透視ガラス１２ａには露が着くものとして、電子式リレー２１４をオンする。更に、温度センサ１０ｆによる検知温度Ｔが７℃以上１９℃未満の場合、透視ガラス１２ａの商品収納部１２側とその反対側との温度差が小さい場合と大きい場合の中間であるため、透視ガラス１２ａには露が着く可能性があるものとして、電子式リレー２１４を間欠的（例えば７分間オンした後に９分間オフすることを繰り返す）に動作させる。
【００２３】
図５は、商品収納部１２にコールド商品とホット商品を混在させ収納して販売する場合に適用するテーブルデータである。このテーブルデータによれば、温度センサ１０ｆによる検知温度Ｔの範囲を３つ（例えば７℃未満、７℃以上１９℃未満、１９℃以上）に分類することとする。電子式リレー２１４の動作としては、温度センサ１０ｆによる検知温度Ｔが７℃未満の場合、透視ガラス１２ａの商品収納部１２側とその反対側（自動販売機の外部）との温度差が小さいため、透視ガラス１２ａには露が着かないものとして、電子式リレー２１４をオフする。また、温度センサ１０ｆによる検知温度Ｔが１９℃以上の場合、透視ガラス１２ａの商品収納部１２側とその反対側との温度差が大きいため、透視ガラス１２ａには露が着くものとして、電子式リレー２１４をオンする。更に、温度センサ１０ｆによる検知温度Ｔが７℃以上１９℃未満の場合、透視ガラス１２ａの商品収納部１２側とその反対側との温度差が小さい場合と大きい場合の中間であるため、透視ガラス１２ａには露が着く可能性があるものとして、電子式リレー２１４を間欠的に動作させる。但し、コールド商品のみを商品収納部１２に収納する場合に比べて透視ガラス１２ａの商品収納部１２ａ側の温度は高くなっており、透視ガラス１２ａの商品収納部１２側とその反対側との温度差はコールド商品のみを収納する場合よりも小さく抑えられているため、電子式リレー２１４は、７分間より少ない５分間オンした後に９分間オフする間欠動作を行うこととする。
【００２４】
尚、図４および図５のテーブルデータは、ＲＯＭ２０２に予め記憶されていることとする。また、温度センサ１０ｆによる検知温度Ｔの範囲と電子式リレー２１４の操作との関係は、実験を行った結果、最適なものとして定められたものである。
【００２５】
例えば、社団法人日本冷凍協会「冷凍空気技術」に開示される湿り空気線図によれば、周温（気温）が５℃のときの飽和温度（露が着かない最低温度）は１．６℃である。本出願人の実測データによれば、周温が５℃でヒータ１２ｂの通電をオフしているときの透視ガラス１２ａの自動販売機外部側の温度は６．５℃〜８．５℃であるために問題ないことが分かる。また、周温（気温）が１５℃のときの飽和温度（露が着かない最低温度）は１２．５℃である。本出願人の実測データによれば、コールド商品のみを販売する場合、周温が１５℃でヒータ１２ｂを７分間オンした後に９分間オフする動作を繰り返したときの透視ガラス１２ａの自動販売機外部側の温度は１２．５℃〜１９．５℃であるため、この場合も問題ないことが分かる。
【００２６】
以下、図６を用いて自動販売機の制御動作について説明する。  
先ず、制御部２００は、第１タイマ２０８をリセットする。これにより、第１タイマ２０８は計時を開始する（Ｓ３００）。そして、制御部２００では、第１タイマ２０８が一定時間（例えば３０秒）を計時したかどうかを判別する（Ｓ３０２）。制御部２００は、第１タイマ２０８が３０秒を計時したものと判別すると（Ｓ３０２：ＹＥＳ）、温度センサ１０ｆによる検知温度Ｔを取得し、温度データとしてレジスタ２０６に一時的に保持する（Ｓ３０４、Ｓ３０６）。その後、制御部２００では、ファン１０ｅが制御部２００の制御の下で駆動されているかどうかを判別する（Ｓ３０８）。  
もし、ファン１０ｅが駆動されていない場合（Ｓ３０８：ＮＯ）、レジスタ２０６に保持した温度データを破棄し、上記のステップＳ３００以降を再度実行する。一方、ファン１０ｅが駆動されている場合（Ｓ３０８：ＹＥＳ）、レジスタ２０６に保持されている温度データが７℃未満を示すものであるかどうかを判別する（Ｓ３１２）。レジスタ２０６における温度データが７℃未満を初めて示す場合（Ｓ３１２：ＹＥＳ）、この時点から制御部２００は第２タイマ２１０をリセットし、計時を開始させ、一定時間（例えば１０分間）を計時したかどうかを判別する（Ｓ３１４）。第２タイマ２１０が１０分を計時していない場合（Ｓ３１４：ＮＯ）、上記のステップＳ３００以降を再度実行する。一方、レジスタ２０６における温度データは７℃未満を示すままで第２タイマ２１０が１０分を計時した場合（Ｓ３１４：ＹＥＳ）、制御部２００では、透視ガラス２１ａの自動販売機外部側の温度が７℃未満で安定していることとして、ＲＯＭ２０２に記憶されている図４および図５のテーブルデータを参照し、電子式リレー２１４の駆動をオフするための制御信号を出力する。これにより、電子式リレー２１４の駆動オフに伴って制御接点２１６が開き、フィルム状のヒータ１２ｂの通電はオフする（Ｓ３１６）。尚、レジスタ２０６に保持される温度データが７℃未満を示す場合、図４、図５の何れのテーブルデータを参照しても電子式リレー２１４の駆動は変わらないため、一方のテーブルデータを参照するだけでもよい。
【００２７】
レジスタ２０６における温度データが７℃未満ではない場合（Ｓ３１２：ＮＯ）、制御部２００では、レジスタ２０６に保持されている温度データが７℃以上１９℃未満を示すものであるかどうかを判別する（Ｓ３１８）。レジスタ２０６における温度データが７℃以上１９℃未満を初めて示す場合（Ｓ３１８：ＹＥＳ）、この時点から制御部２００は第２タイマ２１０をリセットし、計時を開始させ、一定時間（例えば１０分間）を計時したかどうかを判別する（Ｓ３２０）。第２タイマ２１０が１０分を計時していない場合（Ｓ３２０：ＮＯ）、上記のステップＳ３００以降を再度実行する。  
一方、レジスタ２０６における温度データは７℃以上１９℃未満を示すままで第２タイマ２１０が１０分を計時した場合（Ｓ３２０：ＹＥＳ）、制御部２００では、更にＨ／Ｃ切替スイッチ２１２が切り替わっている状態を判別する（Ｓ３２２）。Ｈ／Ｃ切替スイッチ２１２がコールド商品のみを収納する側に切り替わっている場合（Ｓ３２２：ＣＯＬＤ）、透視ガラス２１ａの自動販売機外部側の温度が７℃以上１９℃未満で安定していることとして、ＲＯＭ２０２に記憶されている図４のテーブルデータを参照し、電子式リレー２１４の駆動を間欠的にオンオフするための制御信号を出力する。これにより、電子式リレー２１４のオンオフに伴って制御接点２１６が７分間閉じた後に９分間開く動作を繰り返し、フィルム状のヒータ１２ｂの通電が間欠的にオンオフされる（Ｓ３２４）。  
一方、Ｈ／Ｃ切替スイッチ２１２がコールド商品およびホット商品を混在して収納する側に切り替わっている場合（Ｓ３２２：Ｈ／Ｃ）、透視ガラス２１ａの自動販売機外部側の温度が７℃以上１９℃未満で安定していることとして、ＲＯＭ２０２に記憶されている図５のテーブルデータを参照し、電子式リレー２１４の駆動を間欠的にオンオフするための制御信号を出力する。これにより、電子式リレー２１４のオンオフに伴って制御接点２１６が５分間閉じた後に９分間開く動作を繰り返し、フィルム状のヒータ１２ｂの通電が間欠的にオンオフされる（Ｓ３２４）。
【００２８】
レジスタ２０６における温度データが７℃以上１９℃未満ではない場合（Ｓ３１８：ＮＯ）、レジスタ２０６における温度データは１９℃以上を示すものと判別し、この時点から制御部２００は第２タイマ２１０をリセットし、計時を開始させ、一定時間（例えば１０分間）を計時したかどうかを判別する（Ｓ３２８）。第２タイマ２１０が１０分を計時していない場合（Ｓ３２８：ＮＯ）、上記のステップＳ３００以降を再度実行する。  
一方、レジスタ２０６における温度データは１９℃以上を示すままで第２タイマ２１０が１０分を計時した場合（Ｓ３２８：ＹＥＳ）、制御部２００では、透視ガラス２１ａの自動販売機外部側の温度が１９度以上で安定していることとして、ＲＯＭ２０２に記憶されている図４および図５のテーブルデータを参照し、電子式リレー２１４の駆動をオンするための制御信号を出力する。これにより、電子式リレー２１４の駆動に伴って制御接点２１６が閉じ、フィルム状のヒータ１２ｂの通電はオンする（Ｓ３３０）。尚、レジスタ２０６に保持される温度データが１９℃以上を示す場合、図４、図５の何れのテーブルデータを参照しても電子式リレー２１４の駆動は変わらないため、一方のテーブルデータを参照するだけでもよい。
【００２９】
以上より、透視ガラス１２ａに露が着いて顧客が商品１１を確認できなくなるという不都合を防止でき、更には電力消費量を低減することができる。
【００３０】
＝＝＝その他の実施の形態＝＝＝
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００３１】
＜＜テーブルデータ＞＞
本実施の形態において、図４および図５のテーブルデータは、温度センサ１０ｆによる検知温度が７℃以上１９℃未満のときに電子式リレー２１４が動作する間欠デューティを、ＣＯＬＤ商品のみを収納する場合と、ＣＯＬＤ商品とＨＯＴ商品を混在して収納する場合都で異ならせているが、これに限定されるものではない。  
例えば、ＣＯＬＤ商品のみを収納する場合の温度範囲の分類に比べて、ＣＯＬＤ商品およびＨＯＴ商品を混在で収納する場合の温度範囲の分類の温度を上方にシフトしてもよい。具体的には、ＣＯＬＤ商品のみを収納する場合、温度範囲を「７℃未満、７℃以上１９℃未満、１９℃以上」としているが、ＣＯＬＤ商品およびＨＯＴ商品を混在して収納する場合、温度範囲を例えば＋１℃（実際にはＣＯＬＤ商品のみを収納する場合とＣＯＬＤ商品およびＨＯＴ商品を混在して収納する場合の、商品収納部１２の温度差を適用することが好ましい）として「８℃未満、８℃以上２０℃未満、２０℃以上」としてもよい。  
これにより、ヒータ１２ｂを必要最小限駆動するだけで済み、電力消費量を低減することが可能となる。尚、このとき、間欠デューティを、ＣＯＬＤ商品のみを収納する場合とＣＯＬＤ商品およびＨＯＴ商品を混在して収納する場合とで、同一としてもよいし、異ならせてもよい。
【図面の簡単な説明】
【００３２】
【図１】本発明の自動販売機の正面図の一例である。
【図２】本発明の自動販売機の側面図の一例である。
【図３】本発明の自動販売機の制御構成を示す回路ブロック図である。
【図４】ＣＯＬＤ商品のみを収納する場合のテーブルデータを示す図ある。
【図５】ＣＯＬＤ商品およびＨＯＴ商品を混在して収納する場合のテーブルデータを示す図である。
【図６】本発明の自動販売機の制御動作を示すフローチャートである。
【符号の説明】
【００３３】
１０ａ  機械室
１０ｂ  通気口
１０ｃ  通気口
１０ｄ  圧縮機
１０ｅ  ファン
１０ｆ  温度センサ
１２  商品収納部
１２ａ  透視ガラス
１２ｂ  フィルム状のヒータ
２００  制御部
２０２  ＲＯＭ
２０６  レジスタ
２０８  第１タイマ
２１０  第２タイマ
２１２  Ｈ／Ｃ切替スイッチ
２１４  電子式リレー
２１６  制御接点
【図１】
2005215851.tif 000003
【図２】
2005215851.tif 000004
【図３】
2005215851.tif 000005
【図４】
2005215851.tif 000006
【図５】
2005215851.tif 000007
【図６】
2005215851.tif 000008